(57)【特許請求の範囲】
【請求項１】
回転型の可換型光記憶媒体に対して情報を記録または再生するトランスデューサと、
前記可換型光記憶媒体を回転駆動するモータと、
前記トランスデューサを前記可換型光記憶媒体に位置づけるポジショナとを有する記憶装置において、
前記ポジショナは前記可換型光記憶媒体のデータ記憶面を物理的に破壊する記憶媒体破壊手段を有し、
前記記憶媒体破壊手段は、前記記憶媒体の回転時に、前記データ記憶面に接触させる可動突起部を備え、
前記データ記憶面の破壊時に発生する塵埃が前記トランスデューサに付着することを防止するガイドを前記トランスデューサと前記可動突起部との間に有することを特徴とする記憶装置。
【請求項２】
前記記憶媒体破壊手段は前記可動突起部が前記データ記憶面に接触時、前記記憶媒体に書き込まれている位置情報信号を用いることなく前記ポジショナの移動を行うことを特徴とする請求項１に記載の記憶装置。
【請求項３】
記憶装置で行なわれる記憶媒体破壊方法であって、
回転型の可換型光記憶媒体が回転するステップと、
情報を記録または再生するトランスデューサを前記回転型の可換型光記憶媒体に位置づけるポジショナに備えた可動突起部が、回転型の可換型光記憶媒体のデータ記憶面に接触するステップと、
前記ポジショナが回転型の可換型光記憶媒体に対し移動するステップと、
前記トランスデューサと前記可動突起部との間に有するガイドにより、前記データ記憶面の破壊時に発生する塵埃が前記トランスデューサに付着することを防止するステップとを有する記憶媒体破壊方法。
【請求項４】
記憶媒体破壊プログラムであって、
回転型の可換型光記憶媒体を回転させるステップと、
情報を記録または再生するトランスデューサを前記回転型の可換型光記憶媒体に位置づけるポジショナに備えた可動突起部を、前記回転型の可換型光記憶媒体のデータ記憶面に接触させるステップと、
前記ポジショナを前記回転型の可換型光記憶媒体に対し移動させるステップとをコンピュータに実行させ、
前記トランスデューサと前記可動突起部との間に有するガイドにより、前記データ記憶面の破壊時に発生する塵埃が前記トランスデューサに付着することを防止する記憶媒体破壊プログラム。
【発明の詳細な説明】
【技術分野】
【０００１】
本発明は、固定型あるいは可換型記憶媒体を備えたハードディスク装置や光記憶装置等に関し、記憶媒体や装置を廃棄する際に記憶媒体を物理的に破壊する機能を備えた記憶装置に関する。
【背景技術】
【０００２】
従来より、ハードディスク装置あるいはＭＯディスク（光磁気ディスク）媒体や光記憶媒体を廃棄する際に、媒体に書き込まれている情報を再利用されないようにするため、記憶媒体に書き込まれている情報を電磁気やレーザ光によって消去したり、記憶媒体を物理的に破壊した後に廃棄していた。
【０００３】
コンピュータをはじめとする情報機器に内蔵されているハードディスク装置においては、
記憶媒体の記憶領域全域にわたり特定のデータパターンを書き込んだり、さらに、完全に消去すべく複数回の書き込みを行っている。
【０００４】
あるいは、コンピュータをはじめとする情報機器に内蔵されているハードディスク装置を取り出し、ハンマー等で強い衝撃を与えて内部の媒体を破壊したり、外部より強磁界を加えてデータを破壊したりしていた。
【０００５】
例えば、特開平９−２９３３４８号公報には、不要となった光ディスクカートリッジを破壊する装置が示されている。ヒンジにて開閉するアタッシュケース型のディスク破壊装置には、蓋にポンチが突出して取り付けられており、内部に光ディスクカートリッジを装着して蓋を閉めると、ポンチの先端が光ディスクカートリッジの面を貫通して破壊するようになっている。
【０００６】
また、特開２００４−３９０５９号公報には、記憶媒体やカートリッジに収納された記憶媒体を破壊装置のＶ型突起およびＶ型溝部の間に装着し、Ｖ型突起をＶ型溝部に装置のレバーにより押下することにより記憶媒体を破壊する装置が示されている。
【０００７】
さらには、特開２００２−３０４７３６号公報には、ＣＤ−Ｒディスクの再利用禁止方法およびＣＤ−Ｒドライブ装置として、すでにデータが記録されたエリア上にデータ記録用のレーザー光を照射してデータ読み取り不能とする方法および装置が示されている。
【０００８】
しかし、上記に示された方法には、以下のような問題があった。
【０００９】
記憶装置を内蔵した情報機器や記憶装置単体を外部からハンマー等で物理的に破壊する場合、内部にある記憶媒体が目視できないため破壊されたかどうかの確認が困難であった。また、記憶媒体を取り出して破壊する場合、ハードディスク装置のような装置に固定された記憶媒体については、記憶媒体をハードディスク装置から取り出す必要があり、装置によってはユーザが容易に分解できない構造になっているものもあり、取り出す作業自体に時間がかかった。さらに、記憶媒体をハードディスク装置から容易に取り出せる可換型媒体においても、わざわざ破壊装置を別に用意する必要があった。
【００１０】
また、記憶媒体のデータ記憶面の全域にわたってレーザー光を照射するには長時間を必要とし、高密度記憶媒体にあっては、さらに時間を要する。
【００１１】
電磁気あるいはレーザー光によりデータを破壊する場合、完全にデータ破壊するには数回の破壊操作を行う必要がありさらに長時間となるうえ、実際に破壊されているかどうかの確認が難しい。
【特許文献１】特開平９−２９３３４８号公報
【特許文献２】特開２００４−３９０５９号公報
【特許文献３】特開２００２−３０４７３６号公報
【発明の開示】
【発明が解決しようとする課題】
【００１２】
本発明は、上記のような問題点を解決するため、回転型の可換型光記憶媒体を他の記憶媒体破壊装置に移し変えずに確実に読み取り不能にする記憶媒体破壊方法、記憶媒体破壊手段を有する記憶装置および記憶媒体破壊プログラムを提供することを目的とする。
【課題を解決するための手段】
【００１３】
本発明の請求項１に記載の発明は、回転型の可換型光記憶媒体に対して情報を記録または再生するトランスデューサと、前記回転型の可換型光記憶媒体を回転駆動するモータと、前記トランスデューサを前記記憶媒体に位置づけるポジショナとを有する記憶装置において、前記ポジショナは前記回転型の可換型光記憶媒体のデータ記憶面を物理的に破壊する記憶媒体破壊手段を有し、前記記憶媒体破壊手段は、前記回転型の可換型光記憶媒体の回転時に、前記データ記憶面に接触させる可動突起部を備え、前記データ記憶面の破壊時に発生する塵埃が前記トランスデューサに付着することを防止するガイドを前記トランスデューサと前記可動突起部との間に有することを特徴とする記憶装置である。
【００１４】
図３は、従来のＭＯディスク装置のブロック図例に示す。図において、回転型記憶媒体である円板状の記憶媒体３１が駆動モータ３２により回転し、キャリッジ３４に搭載された光ピックアップ３３は光信号処理ユニット３５からレーザー光を受けて記憶媒体３１のデータ記憶面に情報を記録し、また、読み出すようになっている。モータドライバ３６は、駆動モータ３２の回転制御、また、キャリッジ３４を記憶媒体３１の半径方向に直線的に移動する動作制御を行う。電源３７は、装置内各部への電源供給をし、マイクロコンピュータ３８は、装置の全体の制御を行い、主にキャリッジ３４、駆動モータ３２を駆動するモータドライバ３６の制御、内蔵のメモリ３９の制御、ディスク・コントローラ４０を介して行う外部のホストとのインタフェース制御などを行っている。ここで、記憶媒体３１は図示されていないカートリッジに収納され、装置に対し交換可能型になっている。
【００１５】
図４には、従来の磁気ディスク装置のブロック図例を示す。図において、ＨＤＡ（ヘッド・ディスク・アセンブリ）４１には、円板状の記憶媒体４１−１がスピンドルモータ４１−２により回転し、ヘッドアーム４１−３の先端に取り付けられた浮上型のヘッド４１−５を回転型のポジショナ４１−４により、記憶媒体４１−１のデータ記憶面に情報を記録し、また、読み出すようになっている。モータドライバ４２は、スピンドルモータ４１−２の回転制御、また、ボジショナ４１−４によりヘッド４１−５を記憶媒体３１のデータ記憶面に位置決め制御を行う。電源４４は、装置内各部への電源供給をし、マイクロコンピュータ４５は、装置の全体の制御を行い、主にポジショナ４１−４、スピンドルモータ４１−２を駆動するモータドライバ４２の制御、内蔵のメモリ４６の制御、ＨＤＣ（ハードディスクコントローラ）を介して行う外部のホストとのインタフェース制御などを行っている。ここで、記憶媒体４１−１は、ＨＤＡの中に組み込まれた固定型になっている。
【００１６】
以上のように、例えば、ＭＯディスクのように記憶媒体がカートリッジに収められた可換型のものと、ＣＤやＤＶＤのようにカートリッジに収められていない可換型記憶媒体や、ＨＤＤの中に組み込まれたハードディスク媒体のような固定型記憶媒体のものがあるが、いずれにせよ情報を書き込んだり、読み出したりする動作においては、通常、記憶媒体に予め書き込まれたサーボ情報をもとに、記憶媒体の回転制御、トランスデューサである光ピックアップやヘッドの記憶媒体に対する位置決め制御が行われている。
【００１７】
トランスデューサを記憶媒体に位置づけるポジショナに、記憶媒体のデータ記憶面を物理的に破壊する可動突起部を備えた記憶媒体破壊手段を設け、通常のＲ／Ｗ動作においては可動突起部は記憶媒体に接触することなく、記憶媒体を廃棄するときには、例えば、あらかじめ記憶装置に設けられた記憶媒体破壊を実行させる信号を発するスイッチを押すか、あるいは記憶装置に接続されたパソコンから記憶媒体破壊を実行させる信号を発することにより、記憶装置が内蔵するマイクロコンピュータが指示信号を受け取る。
【００１８】
通常のＲ／Ｗ動作では、トランスデューサが記憶媒体から読み出す制御信号にしたがって、トランスデューサの位置、記憶媒体の回転速度が制御されるが、例えば、針の先端のような可動突起部をポジショナから突き出して記憶媒体のデータ記憶面を物理的にまんべんなく傷付ける動作をさせるためには、トランスデューサが記憶媒体から読み出すトランデューサの位置制御信号や記憶媒体の回転速度制御信号による制御を使用できない。そこで、記憶媒体破壊手段は、この制御とは別の、マイクロコンピュータのメモリ部に手順が記憶された記憶媒体破壊を行う動作に切り換える。
【００１９】
記憶媒体破壊を実行する動作においては、例えば、マイクロコンピュータが記憶媒体を破壊させる信号を受け取ると、回転駆動モータに流す電流を一定にして記憶媒体の回転数をほぼ１００〜１０００ｒｐｍとする。そして、ポジショナに装備された一端が針状突起を有し他端が永久磁石部の金属製の棒を永久磁石部の周りに設けられたコイルに直流電流を流すことにより、針状の可動突起部が記憶媒体のデータ記憶面に突き当たるようになっている。
【００２０】
そして、ポジショナの動く最大範囲を物理的に規制しているストッパのうち、まず、記憶媒体の外周側の位置を規制する外側ストッパにポジショナを突き当て、その後、内周に向かってポジショナを定電流で駆動する。記憶媒体の内周側の位置を規制する内側ストッパにポジショナが突き当たったのをセンサで検出して動作を終了させるか、繰り返し、何回かポジショナを往復させる。
【００２１】
本発明は以上のようにして、回転型の可換形記憶媒体を記憶装置内において破壊することができる。
【００２２】
本発明の請求項２に記載の発明は、前記記憶媒体破壊手段は前記可動突起部が前記データ記憶面に接触時、前記回転型記憶媒体に書き込まれている位置情報信号を用いることなく前記ポジショナの移動を行うことを特徴とする請求項１に記載の記憶装置である。
【００２３】
請求項２に記載の発明によれば、記憶媒体破壊を実行するときは記憶媒体に記録された位置情報信号を用いないでモータの回転およびポジショナの移動を行うことを特徴とする。記憶媒体破壊を実行するとき、記憶媒体が破壊されない間は記憶媒体に記録された位置情報信号に係わる制御を使用できるが、これを使用しないことにより簡潔なプロセスとすることができる。
【００２４】
回転型の可換型光記憶媒体にあっては、前記データ記憶面の破壊時に発生する塵埃が前記トランスデューサに付着することを防止するガイドを前記トランスデューサと前記可動突起部との間に有する。
【００２５】
回転型の可換型光記憶媒体を用いる光ピックアップを備えた記憶装置においては、破棄する回転型の可換型光記憶媒体を破壊した後も他の回転型の可換型光記憶媒体により記憶装置を使用できるようにしたい。
このために、回転型の可換型光記憶媒体の破壊時に発生する塵埃ができるだけ光ピックアップに付着することを防止するガイドを光ピックアップと前記記憶媒体破壊手段との間に設け、再び回転型の可換型記憶媒体を記憶装置を使用する場合、事前に清掃を行うにしても、可能な限り、塵埃が光ピックアップに付着することを防止しようとするものである。
【００２６】
本発明の請求項３に記載の発明は、記憶装置で行なわれる記憶媒体破壊方法であって、
回転型の可換型光記憶媒体が回転するステップと、情報を記録または再生するトランスデューサを前記回転型の可換型光記憶媒体に位置づけるポジショナに備えた可動突起部が、前記回転型の可換型光記憶媒体のデータ記憶面に接触するステップと、前記ポジショナが前記回転型の可換型光記憶媒体に対し移動するステップと、前記トランスデューサと前記可動突起部との間に有するガイドにより、前記データ記憶面の破壊時に発生する塵埃が前記トランスデューサに付着することを防止するステップとを有する記憶媒体破壊方法である。
【００２７】
また、本発明の請求項４に記載の発明は、記憶媒体破壊プログラムであって、回転型の可換型光記憶媒体を回転させるステップと、情報を記録または再生するトランスデューサを前記回転型の可換型光記憶媒体に位置づけるポジショナに備えた可動突起部を、前記回転型の可換型光記憶媒体のデータ記憶面に接触させるステップと、前記ポジショナを前記回転型の可換型光記憶媒体に対し移動させるステップとをコンピュータに実行させ、前記トランスデューサと前記可動突起部との間に有するガイドにより、前記データ記憶面の破壊時に発生する塵埃が前記トランスデューサに付着することを防止する記憶媒体破壊プログラムである。
【発明の効果】
【００２８】
本発明によれば、記憶装置内において回転型の可換形記憶媒体の記憶媒体に記録されている情報を利用できなくすることができる。
【００３０】
回転型の可換形光記憶媒体においては、他の破壊装置を準備するコスト、そして記憶装置から回転型の可換形記憶媒体の記憶媒体を取り出して破壊装置にセットして破壊する手間もかからない。
【発明を実施するための最良の形態】
【００３１】
図１は、本発明によるＭＯディスク装置の一実施例（Ｒ／Ｗ時）を示す。図において、装置基板１の上に円板状の記憶媒体２が回転軸３に支持されて駆動モータ（図示省略）により回転する。また、キャリッジガイド４が装置基板１の上に取り付けられ、キャリッジ５がキャリッジガイド４に沿って回転軸３の中心に対して記憶媒体２の半径方向に直線的に前後するようになっている。キャリッジ５には記憶媒体２のデータ記憶面２−１に対して信号を記録および再生する光ピックアップ６および記憶媒体破壊機構部７が搭載されている。データ記憶面２−１において、情報が記憶されている領域範囲を記憶領域２−２で示す。
【００３２】
記憶媒体破壊機構７は、図１の上下方向に可動な、一端が針の先端のように尖った針状突起が形成され他は円柱状の金属製部材からなる永久磁石部を有する可動突起部（７−１）が内蔵されている。通常時には、可動突起部（７−１）の針状の突起は記憶媒体破壊機構部７の上面から引っ込んだ位置にある。ＭＯディスク装置に設けられた記憶媒体破壊を指示するスイッチ（図示省略）が押されることにより、ＭＯディスク装置のマイクロコンピュータ（図示省略）が可動突起部（７−１）の永久磁石部の周りに設けられた記憶媒体破壊機構部７に固定のコイル（図示省略）に直流電流を流す指示を出し、可動突起部（７−１）の針状の突起を記憶媒体面２−１に突き当てる構造になっている。
【００３３】
図２は、本発明によるＭＯディスク装置の一実施例（記憶媒体破壊時）を示す。図２の図中の番号で図１における番号と一致する番号は同じものを示す。図２においては、可動突起部（７−１）の針状の突起が記憶媒体面２−１に突き当っている。
【００３４】
図５は、本発明による記憶装置の実施例（平面図）を示す。光記憶装置において、記憶媒体破壊時に、記憶媒体から生ずる切り粉が光ピックアップに付着することを極力防止するためのガイドを装着した例である。
【００３５】
図５において、記憶媒体２は図を正面から見て右回転している。記憶媒体２に情報を書き込みあるいは読み出しするトランスデューサに相当する部分は記憶媒体２の裏側に組み込まれており、記憶媒体２の中心から半径方向に向かった１つの直線上を往復移動する光ピックアップ６を搭載したキャリッジ５はキャリッジガイド４に沿って移動する。キャリッジ５には光ピックアップ６の他に記憶媒体破壊機構部７がガイド８により光ピックアップ６と隔てられて搭載されている。さらに、また、記憶媒体破壊機構部７の可動突起部（図示省略）が回転する記録媒体２の表面に接触した時に生ずる切り粉を捕えて収集するためのポケット９がキャリッジ５に固定されている。ポケットは、例えば薄肉のアルミニウムで枠が作られ、底部はエア・フィルタが貼り付けられた容器である。
【００３６】
図５のＡ部の詳細を、図６の本発明による記憶装置の実施例（Ａ部拡大図）に示す。記憶媒体２の回転に伴って生ずる風が、図６に風の方向として示される矢印の方向にガイド８に吹き付ける。記憶媒体破壊機構部７の可動突起部（図示省略）が回転する記録媒体２の表面に接触した時に生ずる切り粉１０は、ガイド８に沿って風の方向に運ばれ、ポケット９の底部に設けられたエア・フィルタ（図示省略）に収集される。
【００３７】
図６に示された部分を方向Ｂから見た図を、図7の本発明による記憶装置の実施例（Ｂから見た側面図）に示す。図７において、符号が図６の中の符号と一致するものは同じものを示す。
【００３８】
また、図６に示された部分を方向Ｃから見た図を、図８の本発明による記憶装置の実施例（Ｃから見た側面図）に示す。図７および図８に示された記憶媒体破壊機構部７は、図１および図2において示される記憶媒体破壊機構部７と同じ構造のものである。
【００３９】
図１０に示す本発明による磁気記憶装置における一実施例（Ｒ／Ｗ時）において、直進型ヘッドを有するハードディスク装置における他の実施例を示す。図１０において、回転する記憶媒体４１−１に対し、ヘッド４１−５が取り付けられたヘッドアーム４１−３は、図示されていない直進型アクチュエータによって図中の矢印の方向に駆動される。
記憶媒体破壊機構部４１−６は、ヘッドアーム４１−３の先端部のヘッド４１−５の近くに設けられ、記憶媒体破壊機構部４１−６に設けられた記憶媒体４１−１の表面に突き当たる可動突起部は先端部が尖った三角形状の金属板で作られ、金属板の底辺の近傍に設けられた金属板に垂直な円柱状の軸（図示省略）に固定され、軸はヘッドアーム４１−３に回転自在に支持され、軸にはワイヤが巻き付けられ、ワイヤの一端がヘッドアーム４１−３の後端部に設けられたマイクロモータ（図示省略）によって巻き取られるようになっている。記憶装置のマイクロコンピュータが記憶媒体破壊を行う命令を受け取るとマイクロモータに巻き取り指示が出され、図１１に示す本発明による磁気記憶装置における一実施例（記憶媒体破壊時）のように、記憶媒体破壊機構部４１−６の可動突起部の先端が記憶媒体４１−１の表面に突き当たるようになっている。
【００４０】
図９は、本発明による記憶媒体破壊のフロー実施例を示す。図９において、記憶装置に設けられたスイッチが押され、記憶媒体破壊信号が発生すると（Ｓ１）、記憶装置に内蔵されたマイクロコンピュータが記憶媒体破壊を行う命令を認識し、通常のＲ／Ｗを行っているトランスデューサが記憶媒体から読み出す制御信号による制御に代えて、マイクロコンピュータのメモリ部に手順が記憶された記憶媒体破壊モードの実行を指示する（Ｓ２）。記憶媒体の回転駆動モータに、記憶媒体の回転数がほぼ１００ｒｐｍとなる所定の電流を流す（Ｓ３）。そして、記憶媒体破壊機構部に装備された一端が針状の突起を、回転している記憶媒体のデータ記憶面に突き当てる（Ｓ４）。さらに、ポジショナモータを、記憶媒体の外周側に設けてあるメカニカル・ストッパにポジショナを突き当て、所定の電流を流して記憶媒体の内周側に設けてあるメカニカル・ストッパに向けてポジショナを移動させる（Ｓ５）。内周側のメカニカル・ストッパである終端ストッパにポジショナが衝突したことを記憶装置に設けられたマイクロスイッチが検出したら（Ｓ６）、記憶媒体破壊モードによるプロセスを終了する。
【図面の簡単な説明】
【００４１】
【図１】は本発明によるＭＯディスク装置の一実施例（Ｒ／Ｗ時）
【図２】は本発明によるＭＯディスク装置の一実施例（記憶媒体破壊時）
【図３】ＭＯディスク装置のブロック図例
【図４】磁気記憶装置のブロック図例
【図５】本発明による記憶装置の実施例（平面図）
【図６】本発明による記憶装置の実施例（Ａ部拡大図）
【図７】本発明による記憶装置の実施例（Ｂから見た側面図）
【図８】本発明による記憶装置の実施例（Ｃから見た側面図）
【図９】本発明による記憶媒体破壊のフロー実施例
【図１０】本発明による磁気記憶装置における一実施例（Ｒ／Ｗ時）
【図１１】本発明による磁気記憶装置における一実施例（記憶媒体破壊時）
【符号の説明】
【００４２】
１          装置基板
２、３１    記憶媒体      
３          回転軸
４          キャリッジガイド
５、３４    キャリッジ
６、３３    光ピックアップ
７          記憶媒体破壊機構部
８          ガイド
９          ポケット
１０        切り粉
３２        駆動モータ
３５        光信号処理ユニット
３６、４２  モータドライバ
３７、４４  電源
３８、４５  マイクロコンピュータ
３９、４６  メモリ
４０        ディスク・コントローラ
４１        ＨＤＡ
４３        リードライト・チャネル
４７        ＨＤＣ
【図１】
0004577237.tif 000002
【図２】
0004577237.tif 000003
【図３】
0004577237.tif 000004
【図４】
0004577237.tif 000005
【図５】
0004577237.tif 000006
【図６】
0004577237.tif 000007
【図７】
0004577237.tif 000008
【図８】
0004577237.tif 000009
【図９】
0004577237.tif 000010
【図１０】
0004577237.tif 000011
【図１１】
0004577237.tif 000012